(57)【要約】 【課題】指感知センサの用途別センサ処理機能の中から何れかのセンサ処理機能を自動的に選択する場合に、その選択を確実に行うことができるようにする。 【解決手段】複数の用途に使用可能な指紋センサ１５の用途別センサ処理機能（センサモード）が装置本体のスタイルに対応してスタイル別センサ処理機能テーブル２１に記憶管理されている状態において、ＣＰＵ１は、スタイル検出センサからの検出信号に基づいて現在のスタイルを判別し、このスタイルに対応するセンサ処理機能（センサモード）を現在の有効機能として選択する。 【選択図】  図１
2008042606.tif 000002
【特許請求の範囲】
【請求項１】
表示部を備えた表示部筐体と操作部を備えた操作部筐体との配置状態を変えることで装置本体を複数のスタイルに設定可能な携帯端末装置であって、
装置本体に配置されている指感知センサの用途に応じた用途別センサ処理機能を装置本体のスタイルに対応して記憶管理するセンサ処理機能記憶手段と、
前記装置本体の現在のスタイルを検出する検出手段と、
この検出手段で検出されたスタイルに対応するセンサ処理機能を現在の有効機能として選択する選択手段と、
を具備したことを特徴とする携帯端末装置。
【請求項２】
前記指感知センサの用途別センサ処理機能は、少なくとも、指紋認証機能、ポインティング指示機能の何れかであり、
前記選択手段は、前記検出されたスタイルが前記操作部筐体側に配置されている方向指示キーが露出するスタイルであるか否かを判別し、方向指示キーが露出するスタイルであれば、前記指紋認証機能を選択し、前記表示部筐体によって前記操作部筐体側の方向指示キーが覆い隠されるスタイルであれば、前記ポインティング指示機能を選択する、
ようにしたことを特徴とする請求項1記載の携帯端末装置。
【請求項３】
複数のアプリケーションのうち、セキュリティ設定されているアプリケーションが処理対象として選択された際に、前記選択手段は、現在のスタイルに拘らず、センサ処理機能として前記指紋認証機能を選択する、
ようにしたことを特徴とする請求項２記載の携帯端末装置。
【請求項４】
複数のアプリケーションの中から任意のアプリケーションを処理対象として切り替えて実行可能な携帯端末装置であって、
装置本体に配置されている指感知センサの用途に応じた用途別センサ処理機能を前記アプリケーションに対応付けて記憶管理するセンサ処理機能記憶手段と、
現在の処理対象アプリケーションを特定する特定手段と、
この特定手段によって特定されたアプリケーションに対応するセンサ処理機能を現在の有効機能として選択する選択手段と、
を具備したことを特徴とする携帯端末装置。
【請求項５】
前記指感知センサの用途別センサ処理機能は、少なくとも、指紋認証機能、ポインティング指示機能の何れかであり、
前記複数のアプリケーションのうち、セキュリティ設定が行われているアプリケーションが処理対象として切り替え指定された際に、前記選択手段は、現在の処理対象アプリケーションに拘らず、前記指紋認証機能を選択する、
ようにしたことを特徴とする請求項４記載の携帯端末装置。
【請求項６】
コンピュータに対して、
表示部を備えた表示部筐体と操作部を備えた操作部筐体との配置状態を変えることで装置本体を複数のスタイルに設定可能な場合に、装置本体の現在のスタイルを検出する機能と、
装置本体に配置されている指感知センサの用途に応じた用途別センサ処理機能を装置本体のスタイルに対応して記憶管理する機能と、
前記検出されたスタイルに該当するセンサ処理機能を現在の有効機能として選択する機能と、
を実現させるためのプログラム。
【請求項７】
コンピュータに対して、
複数のアプリケーションの中から任意のアプリケーションが処理対象として切り替えられた場合に、その処理対象アプリケーションを特定する機能と、
装置本体に配置されている指感知センサの用途に応じた用途別センサ処理機能を前記アプリケーションに対応付けて記憶管理する機能と、
前記特定されたアプリケーションに対応するセンサ処理機能を現在の有効機能として選択する機能と、
を実現させるためのプログラム。
【発明の詳細な説明】
【技術分野】
【０００１】
この発明は、指感知センサを備えた携帯端末装置及びプログラムに関する。
【背景技術】
【０００２】
従来、指感知センサ付きの携帯端末装置としては、本人認証機能あるいは入力装置機能（ポインティングデバイス機能）として兼用可能な指感知センサを備えた携帯電話が知られている（特許文献１参照）。そして、この技術において、指感知センサを本人認証機能として使用するか、ポインティングデバイス機能として使用するかは、センサ面に指が触れている面接触（面積）の大小を判別することによって自動的に切り替えるようにしている。同様に、従来においては、指紋センサによって指紋認証を行うほか、この指紋センサを使用して指の移動を操作入力として認識するようにした携帯端末装置が知られている（特許文献２参照）。そして、この技術において、指紋認証モードと操作入力モードとの切り替えは、ユーザがセンサ位置に近づけたか、指をセンサに接触させたかに応じて制御するようにしている。
【特許文献１】特開２００３−２９８６８９号公報
【特許文献２】特開２００５−３０１６５８号公報
【発明の開示】
【発明が解決しようとする課題】
【０００３】
しかしながら、上述した先行技術（特許文献１）にあっては、指の接触の仕方は一様ではなく、その都度変わり、指紋認証時に接触面積が少な過ぎると、ポインティングデバイス機能に切り替えられてしまい、逆に、ポインティング指示時に接触面積が大き過ぎると、本人認証機能に切り替えられてしまい、誤動作のおそれがある。同様に、先行技術（特許文献２）にあっては、指をセンサ位置に近づけたか、センサに接触させたかに応じて指紋認証モードと操作入力モードとを切り替えるようにしているが、指紋認証時に指を間違ってセンサに接触してしまうと、操作入力モードに切り替えられてしまい、逆に、入力操作時に指をセンサ位置に近づけただけでは、指紋認証モードに切り替えられてしまうなど、誤動作のおそれがあった。
【０００４】
この発明の課題は、指感知センサの用途別センサ処理機能の中から何れかのセンサ処理機能を自動的に選択する場合に、その選択を確実に行うことができるようにすることである。
【課題を解決するための手段】
【０００５】
請求項１記載の発明（第１の発明）は、表示部を備えた表示部筐体と操作部を備えた操作部筐体との配置状態を変えることで装置本体を複数のスタイルに設定可能な携帯端末装置であって、装置本体に配置されている指感知センサの用途に応じた用途別センサ処理機能を装置本体のスタイルに対応して記憶管理するセンサ処理機能記憶手段と、前記装置本体の現在のスタイルを検出する検出手段と、この検出手段で検出されたスタイルに対応するセンサ処理機能を現在の有効機能として選択する選択手段とを具備したことを特徴とする。
更に、コンピュータに対して、上述した請求項１記載の発明に示した主要機能を実現させるためのプログラムを提供する（請求項６記載の発明）。
【０００６】
なお、上述した請求項１記載の発明は次のようなものであってもよい。
前記指感知センサの用途別センサ処理機能は、少なくとも、指紋認証機能、ポインティング指示機能の何れかであり、前記選択手段は、前記検出されたスタイルが前記操作部筐体側に配置されている方向指示キーが露出するスタイルであるか否かを判別し、方向指示キーが露出するスタイルであれば、前記指紋認証機能を選択し、前記表示部筐体によって前記操作部筐体側の方向指示キーが覆い隠されるスタイルであれば、前記ポインティング指示機能を選択する（請求項２記載の発明）。この場合、複数のアプリケーションのうち、セキュリティ設定されているアプリケーションが処理対象として選択された際に、前記選択手段は、現在のスタイルに拘らず、センサ処理機能として前記指紋認証機能を選択するようにしてもよい（請求項３記載の発明）。
【０００７】
請求項４記載の発明（第２の発明）は、複数のアプリケーションの中から任意のアプリケーションを処理対象として切り替えて実行可能な携帯端末装置であって、装置本体に配置されている指感知センサの用途に応じた用途別センサ処理機能を前記アプリケーションに対応付けて記憶管理するセンサ処理機能記憶手段と、現在の処理対象アプリケーションを特定する特定手段と、この特定手段によって特定されたアプリケーションに対応するセンサ処理機能を現在の有効機能として選択する選択手段とを具備したことを特徴とする。
更に、コンピュータに対して、上述した請求項４記載の発明に示した主要機能を実現させるためのプログラムを提供する（請求項７記載の発明）。
【０００８】
なお、上述した請求項４記載の発明は次のようなものであってもよい。
前記指感知センサの用途別センサ処理機能は、少なくとも、指紋認証機能、ポインティング指示機能の何れかであり、前記複数のアプリケーションのうち、セキュリティ設定が行われているアプリケーションが処理対象として切り替え指定された際に、前記選択手段は、現在の処理対象アプリケーションに拘らず、前記指紋認証機能を選択する（請求項５記載の発明）。
【発明の効果】
【０００９】
第１の発明は、指感知センサの用途別センサ処理機能の中から現在のスタイルに対応するセンサ処理機能を選択することにより、現在のスタイルにマッチしたセンサ処理機能を選択できると共に、その選択が確実なものとなる。
【００１０】
第２の発明は、指感知センサの用途別センサ処理機能の中から現在の処理対象アプリケーションに対応するセンサ処理機能を選択することにより、現在の処理対象アプリケーションにマッチしたセンサ処理機能を選択できる共に、その選択が確実なものとなる。
【発明を実施するための最良の形態】
【００１１】
以下、図１〜図６を参照して本発明の第１実施例を説明する。
この実施例は、携帯端末装置として携帯電話装置に適用した場合を例示したもので、図１は、この携帯電話装置の基本的な構成要素を示したブロック図である。
この携帯電話装置は、折畳・回転型（２軸回転型）の携帯電話装置であり、その表示部筐体と操作側筐体との配置状態を変えることで装置本体を４つのスタイルに変更可能なもので、各種のアプリケーション機能として、通話機能（電話機能）、電子メール機能、アドレス帳機能、カメラ機能、テレビ（ＴＶ）機能、インターネット接続機能（Ｗｅｂアクセス機能）など、各種の機能が備えられている。また、携帯電話装置には、多用途に使用可能な指感知センサ（後述する）が設けられている。
【００１２】
ＣＰＵ１は、記憶部２内の各種のプログラムに応じてこの携帯電話装置の全体動作を制御する中核的な中央演算処理装置である。記憶部２は、不揮発性メモリ(内部メモリ)であり、例えば、フラッシュメモリなどによって構成され、プログラム領域とデータ領域とを有し、このプログラム領域には、後述する図５及び図６に示す動作手順に応じて本実施例を実現するためのプログラムが格納されている。また、記憶部２のデータ領域は、後述するスタイル別センサ処理機能テーブル２１、アプリケーション別センサ処理機能テーブル２２などを有している。記録メディア３は、着脱自在な可搬型メモリで、各種のデータ・プログラムを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成され、必要に応じてメモリ４内の各種のデータは、記憶部２にセーブされる。
【００１３】
電話通信部５は、無線部を構成するアンテナに接続された送受信部（ベースバンド部）の受信側から信号を取り込んで受信ベースバンド信号に復調したのちに、音響制御部６を介して受話スピーカ７から音声出力させる。また、電話通信部５は、送話マイク８から入力された音声データを音響制御部６から取り込み、送信ベースバンド信号に符号化したのちに送受信部の送信側に与えられてアンテナから発信出力させる。一方、電子メール機能などによって電話通信部５を介して受信取得した表示データは、表示制御部９を介してＬＣＤ（液晶表示装置）などのメイン表示部１０に与えられて表示出力される。サブ表示部１１は現在日時、簡易なメッセージ、アイコンなどを表示する。
【００１４】
テレビ放送受信部１２は、テレビアンテナ（図示せず）に接続され、ユーザ操作に応じて受信チャンネルを選局して当該局の放送信号を抽出し、この放送信号をＯＦＤＭ（直交周波数分割多重）復調したり、多重化されている放送信号から映像、音声、データ（文字データ）に分離すると共に、この映像信号、音声信号、文字信号を解析しながら復号化するもので、テレビ映像データ及び文字データは、メイン表示部１０から表示出力され、また、テレビ音声データは、サウンドスピーカ（図示せず）から出力される。
【００１５】
キー操作部１３は、ダイヤル入力、文字入力、コマンド入力などを行うもので、図２（Ａ）に示すように、キー操作部１３には、電源キーＰＫのほか、上下左右の方向指示キー（カーソルキー）ＣＫ１〜ＣＫ４とそれらの中心部に配置されている決定キーＤＫなどを有し、ＣＰＵ１は、キー操作部１３からのキー入力信号に応じた処理を実行する。カメラ撮像部１４は、静止画撮影のほかに動画撮影も可能なもので、撮影レンズ、ミラー等のレンズ・ミラーブロック、撮像素子、その駆動系のほか、測距センサ、光量センサ、アナログ処理回路、信号処理回路、圧縮伸張回路等を備え、光学ズームを調整制御したり、オートフォーカス時の駆動制御、シャッター駆動制御、露出、ホワイトバランス等を制御する。
【００１６】
指紋センサ１５は、例えば、イメージセンサ（（エリアセンサ））によって構成され、複数の用途に使用可能なもので、ＣＰＵ１は、指紋センサ１５の用途に応じた用途別センサ処理機能（指紋認証機能、ポインティング指示機能、決定機能）の中から所定のセンサ処理機能を自動選択するようにしている。すなわち、ＣＰＵ１は、装置本体の現在のスタイルあるいは処理対象として選択されている現在のアプリケーションに応じて指紋認証機能を作動可能な状態とする“指紋認証モード”とポインティング指示機能を作動可能な状態とする“ポインティングモード”とに切り替え可能となっており、“指紋認証モード”においてセンサ制御部１６は、指紋の凹凸に応じたデジタル画像（指紋画像データ）を読み取る。ＣＰＵ１は、指紋センサ１５からセンサ制御部１６を介して読み取られた指紋データ（入力データ）と予め複数の指毎に登録されている指別指紋データ（登録データ）とを照合する指紋認証処理を実行する。
【００１７】
また、“ポインティングモード”においてセンサ制御部１６は、指の動きに応じてその移動方向及び移動量を検出し、ＣＰＵ１は、センサ制御部１６からの検出結果に応じてポインタ移動処理、メニュー移動処理、スクロール処理の何れかを実行する。また、センサ制御部１６は、指紋センサ１５への操作（センサ操作）が指の移動を伴うか否かを検出し、移動を伴わないセンサ操作（例えば、ダブルタップ操作）の場合、ＣＰＵ１は、用途別センサ処理機能として決定機能を有効な機能として、メニュー決定などの決定処理を実行する。なお、センサ制御部１６は、ＣＰＵ１からの指示に応じて指紋センサ１５の“ＯＮ／ＯＦＦ（オン／オフ）”を制御するようにしている。
【００１８】
スタイル検出センサ１７は、２軸回転型の装置本体を構成する２つの筐体（表示部筐体、操作部筐体）の配置状態に応じて変化する各スタイルを検出可能なもので、例えば、磁気センサあるいはマイクロスイッチによって構成され、ＣＰＵ１は、スタイル検出センサ１７からの各検出信号に基づいて装置本体の各スタイルを判別するようにしている。この場合、操作部筐体に表示部筐体を重ね合わせた状態（クローズスタイル）、このタイルから表示部筐体を開いた状態（正転オープンスタイルあるいはノーマルスタイル）、このスタイルから表示部筐体を１８０°回転させた状態（反転オープンスタイル）、このスタイルから表示部筐体を閉じた状態（ビュースタイル）に変更可能となっている。
【００１９】
すなわち、図２（Ａ）は、正転オープンスタイル（ノーマルスタイル）を示した図で、操作部筐体１８Ａには、キー操作部１３が配置され、表示部筐体１８Ｂには、メイン表示部１０が配置され、また、メイン表示部１０の下側には、指紋センサ１５が配置されており、メイン表示部１０、指紋センサ１５は、外部に露出した状態となっている。また、図２（Ｂ）は、ビュースタイルを示した図で、このビュースタイルでは、操作部筐体１８Ａのキー操作部１３が表示部筐体１８Ｂによって覆い隠された状態となっているが、メイン表示部１０、指紋センサ１５は、外部に露出した状態となっている。このビュースタイルでは、操作部筐体１８Ａのキー操作部１３は、表示部筐体１８Ｂによって覆い隠されているため、操作部筐体１８Ａの一側部に配置されている各サイドキーＳＫ１、ＳＫ２、ＳＫ３を使用するようにしている。
【００２０】
図３は、スタイル別センサ処理機能テーブル２１を説明するための図である。
スタイル別センサ処理機能テーブル２１は、装置本体の現在のスタイルに応じた用途別センサ処理機能（指紋認証機能、ポインティング指示機能、決定機能）の中からその何れかを現在の有効機能として選択するためのテーブルである。この場合、「オープンスタイル」に対応するセンサ処理機能（センサモード）として“指紋認証モード”が設定されており、「オープンスタイル」では、指紋認証機能が有効な機能として選択される。また、「ビュースタイル」に対応するセンサ処理機能（センサモード）として“ポインティングモード”が設定されており、「ビュースタイル」では、ポインティング指示機能が有効な機能として選択される。
【００２１】
図４は、アプリケーション別センサ処理機能テーブル２２を説明するための図である。
アプリケーション別センサ処理機能テーブル２２は、現在、処理対象として選択されているアプリケーションに応じた用途別センサ処理機能（指紋認証機能、ポインティング指示機能、決定機能）の中からその何れかを現在の有効機能として選択するためのテーブルである。すなわち、音声通話機能、電子メール機能のアプリケーション「電話」、「メール」に対応するセンサ処理機能（センサモード）として、それぞれ“指紋認証モード”が設定されている。なお、図中、「電話」、「メール」の機能説明欄に記された“指別宛先”は、指紋認証処理と共に実行される処理内容を示し、例えば、指紋認証時にプライベート関係の宛先を読み出すときには人差指を使用し、ビジネス関係の宛先を読み出すときには中指を使用するなど、通話先あるいはメール先がプライベート関係かビジネス関係かなどに応じて指紋認証時に使用する指を変えることで、ユーザ認証と共に宛先の種類が指定可能であることを示している。
【００２２】
また、アドレス帳機能、インターネット接続機能（Ｗｅｂアクセス機能）のアプリケーション「アドレス帳」、「Ｗｅｂ」に対応するセンサ処理機能（センサモード）として、“ポインティングモード”が設定されている。この「アドレス帳」、「Ｗｅｂ」の機能説明欄に記された“カーソル移動”、“ポインタ移動”は、ポインティング指示機能として実行される処理内容を示し、アドレス帳から任意の個人データを読み出す場合には、カーソル移動処理が実行され、所望するＷｅｂページをアクセスするＵＲＬ一覧から任意のＵＲＬを選択する場合には、ポインタ移動処理が実行されることを示している。
【００２３】
また、カメラ機能のアプリケーション「カメラ」に対応するセンサ処理機能（センサモード）として、“決定（タッチ）モード”が設定されており、その機能説明欄に記された“シャッター”は、ポインティング指示機能として実行される処理内容を示し、カメラ撮影時には、指紋センサ１５へのタッチ操作でシャッターオン処理（撮影処理）が実行されることを示している。また、テレビ機能のアプリケーション「ＴＶ」に対応するセンサ処理機能（センサモード）として、“指紋認証モード”が設定されており、その機能説明欄に記された“チャンネル選択”は、指紋認証処理と共に実行される処理内容を示し、例えば、各指とチャンネルとの対応を任意に設定しておくことによって、チャンネル選択時には指の種類を変えることで、その指に対応するチャンネルに切り替え可能であることを示している。
【００２４】
次にこの実施例における携帯電話装置の動作概念を図５及び図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２５】
図５及び図６は、電源キーＰＫの操作に伴って実行開始される携帯電話装置の全体動作を示したフローチャートである。
先ず、オープンスタイルで電源キーＰＫが操作されたオープン起動時に、ＣＰＵ１は、指紋センサ１５を“ＯＮ”させてそれを動作可能状態にセットすると共に（ステップＳ１）、この指紋センサ１５の初期モードとして“指紋認証モード”を選択したのち（ステップＳ２）、指紋入力操作を促すガイダンス表示を行う（ステップＳ３）。そして、指紋センサ１５へのタッチ操作（センサ操作）の有無を調べ（ステップＳ４）、センサ操作が行われた場合、つまり、指紋センサ１５からセンサ制御部１６を介して指紋画像データが読み取られ場合には（ステップＳ４でＹＥＳ）、この指紋データ（入力データ）と予め登録されている指紋データ（登録データ）とを照合する指紋認証処理を実行し（ステップＳ５）、両者は特徴的に一致するか否かを調べる（ステップＳ６）。
【００２６】
その結果、両者が特徴的に不一致（照合ＮＧ）の場合には（ステップＳ６でＮＯ）、第三者による操作であると認識して上述のステップＳ３に戻り、以下、照合ＯＫ（両者一致）と判断されるまで本体ロック状態となるが、照合ＯＫの場合には（ステップＳ６でＹＥＳ）、正規ユーザによる操作であると認識して次のステップＳ７に移り、スタイル別センサ処理機能テーブル２１を参照することで、「オープンスタイル」に対応する「センサモード」を選択する。この場合、センサモードとして「指紋認証モード」が選択される。この状態において、電話通信部５を作動させて現在位置を登録する待受処理を行うと共に、所定の待受画像を読み出して表示出力させながら電話／メールの待受状態となる（ステップＳ８）。いま、電話／メール着信有りを検出すると（ステップＳ９でＹＥＳ）、着信メロディなどを発生出力させる着信報知を行うと共に、電話あるいはメールの着信処理を実行する(ステップＳ１０)。
【００２７】
また、待受状態において通話／メール着信がなければ（ステップＳ９でＮＯ）、指紋センサ１５の“ＯＮ／ＯＦＦ”を調べるが（ステップＳ１１）、オープン起動時には“ＯＮ”されているので、ステップＳ１２に移り、指紋センサ１５へのタッチ操作（センサ操作）の有無を調べる。ここで、センサ操作が行われなければ（ステップＳ１２でＮＯ）、図６のフローに移り、スタイル検出センサ１７からの検出信号に基づいてスタイル変更の有無をチェックしたり（ステップＳ２４）、キー操作部１３上のキーあるいはサイドキーＳＫ１〜ＳＫ３の操作有無をチェックする（ステップＳ３２）。ここで、スタイル変更もキー操作も行わなければ（ステップＳ３２でＮＯ）、上述の待受状態に戻るが（図５のステップＳ８）、スタイルが変更された場合には（ステップＳ２４でＹＥＳ）、「オープンスタイル」への変更か（ステップＳ２５）、「ビュースタイル」への変更かを調べる（ステップＳ２８）。
【００２８】
ここで、「オープンスタイル」から「クローズスタイル」に変更された場合には（ステップＳ２８でＮＯ）、指紋センサ１５を“ＯＦＦ”するが（ステップＳ３１）、「オープンスタイル」への変更であれば（ステップＳ２５でＹＥＳ）、指紋センサ１５を“ＯＮ”させたのち（ステップＳ２６）、スタイル別センサ処理機能テーブル２１を参照し、「オープンスタイル」に対応する「センサモード」として、図３の例では“指紋認証モード”を選択する（ステップＳ２７）。また、「ビュースタイル」への変更であれば（ステップＳ２８でＹＥＳ）、指紋センサ１５を“ＯＮ”させたのち（ステップＳ２９）、スタイル別センサ処理機能テーブル２１を参照し、「ビュースタイル」に対応する「センサモード」として、図３の例では“ポインティングモード”を選択する（ステップＳ３０）。これによって例えば、「オープンスタイル」から「ビュースタイル」に変更されたときには、その変更に伴って「センサモード」は、“指紋認証モード”から“ポインティングモード”に切り替えられる。このような処理の実行後は、上述の待受状態に戻る（図５のステップＳ８）。
【００２９】
一方、何れかのキーが操作されたときには（ステップＳ３２でＹＥＳ）、アプリケーションの起動を指示する起動操作かを判別し（ステップＳ３３）、起動操作でなければ、ステップＳ４３に移り、その操作キーに対応する処理として、例えば、メニュー表示処理などを実行したのち、上述の待受状態に戻る（図５のステップＳ８）。一方、何れかのアプリケーションを起動させる起動操作が行われた場合、例えば、アプリケーションメニューが表示されている状態において、方向指示キー（カーソルキー）ＣＫ１〜ＣＫ４が操作されてメニュー画面の中から任意のメニュー項目が処理対象として選択されると共に、決定キーＤＫが操作されて当該選択メニューの起動が指示された場合には（ステップＳ３３でＹＥＳ）、当該アプリケーションにアクセス制限（セキュリティ上の機能制限）が設定されているかを調べる（ステップＳ３４）。
【００３０】
いま、アドレス帳機能、メール機能などのプライベートな機能に対してその起動が指示された場合、つまり、制限設定（セキュリティ設定）されているアプリケーションが処理対象として選択された場合には（ステップＳ３４でＹＥＳ）、当該アプリケーションに対応する処理の実行に先立って正規なユーザであるか否かを確認するためにユーザ認証処理（指紋認証処理）を行うようにしているが（ステップＳ３５〜Ｓ３９）、セキュリティ設定のないアプリケーションが処理対象として選択された場合には（ステップＳ３４でＮＯ）、上述の指紋認証処理を行うことなく、当該当該アプリケーション処理の実行に移る（ステップＳ４０）。なお、この場合における指紋認証処理も上述した場合と同様、センサモードとして“指紋認証モード”を選択したのち（ステップＳ３５）、指紋入力操作を促すガイダンス表示を行い（ステップＳ３６）、それに応答してセンサ操作が行われて、検出指紋センサ１５からセンサ制御部１６を介して指紋画像データが読み取られると（ステップＳ３７でＹＥＳ）、指紋認証処理を実行する（ステップＳ３８）。
【００３１】
その結果、照合ＯＫかを調べ（ステップＳ３９）、照合ＮＧであれば（ステップＳ３９でＮＯ）、上述のステップＳ３６に戻るが、照合ＯＫであれば（ステップＳ３９でＹＥＳ）、正規ユーザによる操作であると認識してステップＳ４０に移り、アプリケーション別センサ処理機能テーブル２２を参照して、当該アプリケーションに対応する「センサモード」を選択する（ステップＳ４１）。そして、当該アプリケーション対応の処理を開始すると共に（ステップＳ４１）、当該処理の終了時には（ステップＳ４２でＹＥＳ）、上述の待受状態に戻る（図５のステップＳ８）。
【００３２】
この場合、例えば、選択されたアプリケーションが「電話」、「メール」、「ＴＶ」であれば、センサモードとして“指紋認証モード”が選択され、また、「アドレス帳」、「Ｗｅｂ」であれば、“ポインティングモード”が選択され、「カメラ」であれば、“決定モード”が選択されてその実行が実行開始される。ここで、アプリケーションが「電話」、「メール」の場合、指紋センサ１５へのタッチ操作時に通話先あるいはメール先がプライベート関係かビジネス関係かに応じて指紋認証時に使用する指を変えることで、その種類に対応する指別宛先を読み出して一覧表示する指別宛先表示処理が実行される。
【００３３】
また、アプリケーションが「アドレス帳」、「Ｗｅｂ」であれば、指紋センサ１５へのタッチ操作（指を移動する操作）でカーソル移動処理あるいはポインタ移動処理が実行され、また、「カメラ」であれば、指紋センサ１５へのタッチ操作でシャッターオン処理（撮影処理）が実行される。また、「ＴＶ」であれば、指紋センサ１５へのタッチ操作でチャンネル切り替え処理が実行されるが、その際、チャンネル選択時に指の種類を変えることで、その指に対応するチャンネルに切り替える処理が行われる。
【００３４】
他方、待受状態において指紋センサ１５が“ＯＮ”されている状態において（図５のステップＳ１１でＹＥＳ）、指紋センサ１５へのタッチ操作（センサ操作）が行われると（ステップＳ１２でＹＥＳ）、現在のセンサモードを判別する（ステップＳ１３）。いま、センサモードが“指紋認証モード”であれば（ステップＳ１３でＹＥＳ）、指紋認証処理を実行し（ステップＳ１４）、その結果、照合ＯＫの場合には（ステップＳ１５でＹＥＳ）、ユーザによって事前設定されているアプリケーション（例えば、メール処理など）を起動させて（ステップＳ１６）、その処理を実行する（ステップＳ１７）。このようにアプリケーションの起動を指示する起動操作に限らず、“指紋認証モード”でのセンサ操作でも設定アプリケーションを起動させることができる。なお、この設定アプリケーション処理の実行後は（ステップＳ１７）、上述の待受状態に戻る（ステップＳ８）。
【００３５】
また、センサ操作時にセンサモードが“ポインティングモード”であれば（ステップＳ１３でＮＯ）、センサ制御部１６からの検出信号に基づいて指の移動操作かを判別し（ステップＳ１８）、移動操作であれば、それに応じてカーソル移動処理を実行するが（ステップＳ２３）、タッチ操作であれば（ステップＳ１８でＮＯ）、それが選択決定を指示するダブルタップ操作であるかを調べる（ステップＳ１９でＹＥＳ）。いま、ダブルタップ操作（決定操作）であれば、現在のカーソル位置に選択対象（例えば、メニュー項目、データ項目など）が有るか、つまり、カーソルを選択対象に合わせた状態でダブルタップ操作（決定操作）が行われたかを調べ（ステップＳ２０でＹＥＳ）、カーソル位置に選択対象が有れば、その選択対象に対応する処理を実行する（ステップＳ２１）。なお、選択対象がアプリケーションであれば、上述と同様、それに対応するセンサモードに切り替えられて指別宛先表示処理、カーソル移動処理、ポインタ移動処理、チャンネル選択処理が実行可能となる。そして、処理終了後は（ステップＳ２２でＹＥＳ）、上述の待受状態に戻る（ステップＳ８）。
【００３６】
以上のように、この実施例においては、複数の用途に使用可能な指紋センサ１５の用途別センサ処理機能（センサモード）が装置本体のスタイルに対応してスタイル別センサ処理機能テーブル２１に記憶管理されている状態において、ＣＰＵ１は、スタイル検出センサ１７からの検出信号に基づいて現在のスタイルを判別し、このスタイルに対応するセンサ処理機能（センサモード）を現在の有効機能として選択することにより、現在のスタイルにマッチしたセンサ処理機能を選択できると共に、その選択が確実なものとなる。
【００３７】
この場合、現在のスタイルが操作部筐体１８Ａ側に配置されている方向指示キーＣＫ１〜ＣＫ４が露出するスタイル（オープンスタイル）であるか否かを判別し、オープンスタイルであれば、“指紋認証モード”を選択し、表示部筐体１８Ｂによって操作部筐体１８Ａ側の方向指示キーＣＫ１〜ＣＫ４が覆い隠されるスタイル（ビュースタイル）であれば、“ポインティングモード”を選択することにより、ビュースタイルにあっては、指紋センサ１５を方向指示キーＣＫ１〜ＣＫ４の代用とすることができる。
【００３８】
このことは、操作部筐体１８Ａ側に配置されている決定キーＤＫについても同様であり、指紋センサ１５を決定キーＤＫの代用とすることができる。また、複数のアプリケーションのうち、制限設定されているアプリケーションが処理対象として選択された際に、現在のスタイルに拘らず、センサモードとして“指紋認証モード”を選択することにより、セキュリティ対策上有効なものとなる。
【００３９】
複数の用途に使用可能な指紋センサ１５の用途別センサ処理機能（センサモード）がアプリケーションに対応してアプリケーション別センサ処理機能テーブル２２に記憶管理されている状態において、ＣＰＵ１は、複数のアプリケーションの中から処理対象として選択されたアプリケーションを特定すると共に、このアプリケーションに対応するセンサ処理機能（センサモード）を現在の有効機能として選択することにより、現在の処理対象アプリケーションにマッチしたセンサ処理機能を選択できる共に、その選択が確実なものとなる。この場合、複数のアプリケーションのうち、制限設定されているアプリケーションが処理対象として選択された際に、ＣＰＵ１は、現在の処理対象アプリケーションに拘らず、センサモードとして“指紋認証モード”を選択することにより、セキュリティ対策上有効なものとなる。
【００４０】
なお、上述した実施例においては、指紋センサ１５をイメージセンサとした場合を例示したが、これに限らず、圧力検知型あるいは静電容量型の指紋センサ（エリアセンサ）であってもよい。
また、指紋センサ１５は、透明タッチセンサとその下側に積層配置されているイメージセンサによって構成されたものであってもよい。この場合、透明タッチセンサに対応して、そのタッチ状態に応じて指のタッチ位置を検出したり、指の移動方向とその移動量を検出するポインティング指示部を設け、また、イメージセンサに対応して、指紋画像データを読み取る指紋読取部を設けるようにしてもよい。
【００４１】
また、指紋認証時には指紋デジタル画像をパターンマッチング方式で照合する場合に限らず、指紋データからその特徴点を抽出して特徴点照合を行うようにしてもよい。
その他、指感知センサ付きの携帯電話装置に限らず、例えば、指感知センサ付きのＰＤＡ・電子カメラ・電子腕時計・音楽再生機などの携帯端末装置であっても同様に適用可能である。
【図面の簡単な説明】
【００４２】
【図１】携帯端末装置として適用した携帯電話装置の基本的な構成要素を示したブロック図。
【図２】（Ａ）は、メイン表示部１０、指紋センサ１５が外部に露出した状態となる正転オープンスタイル（ノーマルスタイル）を示した図、（Ｂ）は、操作部筐体１８Ａ側のキー操作部１３が表示部筐体１８Ｂによって覆い隠されるビュースタイルを示した図。
【図３】スタイル別センサ処理機能テーブル２１を説明するための図。
【図４】アプリケーション別センサ処理機能テーブル２２を説明するための図。
【図５】電源キーＰＫの操作に伴って実行開始される携帯電話装置の全体動作を示したフローチャート。
【図６】図５に続く、フローチャート。
【符号の説明】
【００４３】
１  ＣＰＵ
２  記憶部
５  電話通信部
１０、１１  表示部
１２  テレビ放送受信部
１３  キー操作部
１４  カメラ
１５  指紋センサ
１６  センサ制御部
１７  スタイル検出センサ
１８Ａ  操作部筐体
１８Ｂ  表示部筐体
２１  スタイル別センサ処理機能テーブル
２２  アプリケーション別センサ処理機能テーブル
ＣＫ１〜ＣＫ４  方向指示キー
ＤＫ  決定キー
【図１】
2008042606.tif 000003
【図２】
2008042606.tif 000004
【図３】
2008042606.tif 000005
【図４】
2008042606.tif 000006
【図５】
2008042606.tif 000007
【図６】
2008042606.tif 000008